(57)【要約】【課題】電圧検出の精度を適切に向上させることができる電圧検出装置を提供する。【解決手段】キャパシタと、各検出ブロックをキャパシタに並列接続し、各検出ブロックとキャパシタとの間を開閉する入力側スイッチと、キャパシタに対して並列接続され、キャパシタの電圧に基づいて、各検出ブロックの電圧を検出する第１電圧検出部及び第２電圧検出部と、キャパシタと第１電圧検出部との間を開閉する第１出力側スイッチと、キャパシタと第２電圧検出部との間を開閉する第２出力側スイッチと、第１電圧検出部と第２電圧検出部とを用いて検出ブロックの電圧を検出する第１検出制御部（Ｓ１４）と、第１電圧検出部と第２電圧検出部との一方を用いて検出ブロックの電圧を検出する第２検出制御部（Ｓ２６，Ｓ４０）と、第１検出制御部による検出ブロックの電圧の検出と、第２検出制御部による検出ブロックの電圧の検出と、を切り替える切替部（Ｓ１１）と、を備える。【選択図】      図２
2019138870.tif 000002
【特許請求の範囲】
【請求項１】
複数の電池モジュール（Ｂ１〜Ｂ８）の直列接続体を有する組電池（１０）に適用される電圧検出装置であって、
複数の前記電池モジュールが分割されることにより複数の検出ブロック（Ａ１〜Ａ６，Ａ１１〜Ａ１４）が構成され、前記各検出ブロックが少なくとも１つの前記電池モジュールを含み、
キャパシタ（ＣＡ，ＣＡ１，ＣＡ２）と、
前記各検出ブロックを前記キャパシタに並列接続し、前記各検出ブロックと前記キャパシタとの間を開閉する入力側スイッチ（ＳＷ１〜ＳＷ７）と、
前記キャパシタに対して並列接続され、前記キャパシタの電圧に基づいて、前記各検出ブロックの電圧を検出する第１電圧検出部（２５Ａ）及び第２電圧検出部（２５Ｂ）と、
前記キャパシタと前記第１電圧検出部との間を開閉する第１出力側スイッチ（ＳＷＡ，ＳＷＢ）と、
前記キャパシタと前記第２電圧検出部との間を開閉する第２出力側スイッチ（ＳＷＣ，ＳＷＤ）と、
前記第１電圧検出部と前記第２電圧検出部とを用いて前記検出ブロックの電圧を検出する第１検出制御部（Ｓ１４）と、
前記第１電圧検出部と前記第２電圧検出部との一方を用いて前記検出ブロックの電圧を検出する第２検出制御部（Ｓ２６，Ｓ４０）と、
前記第１検出制御部による前記検出ブロックの電圧の検出と、前記第２検出制御部による前記検出ブロックの電圧の検出と、を切り替える切替部（Ｓ１１）と、
を備える電圧検出装置。
【請求項２】
前記第２検出制御部は、
前記第１電圧検出部を用いて前記検出ブロックの電圧を検出する場合に、前記第２出力側スイッチを開状態とする第１状態制御部（Ｓ２６）と、
前記第２電圧検出部を用いて前記検出ブロックの電圧を検出する場合に、前記第１出力側スイッチを開状態とする第２状態制御部（Ｓ４０）と、
を備える請求項１に記載の電圧検出装置。
【請求項３】
前記第１状態制御部による前記第１出力側スイッチの開期間に前記第２電圧検出部を補正する第１補正部（Ｓ３４）と、
前記第２状態制御部による前記第２出力側スイッチの開期間に前記第１電圧検出部を補正する第２補正部（Ｓ４８）と、
を備える請求項２に記載の電圧検出装置。
【請求項４】
前記第１出力側スイッチ及び前記第２出力側スイッチは、半導体スイッチであり、
前記第１補正部及び前記第２補正部による補正期間に前記入力側スイッチを開状態とする第３状態制御部（Ｓ２５，Ｓ３９）を備える請求項３に記載の電圧検出装置。
【発明の詳細な説明】
【技術分野】
【０００１】
本発明は、複数の電池モジュールの直列接続体を有する組電池に適用される電圧検出装置に関する。
【背景技術】
【０００２】
この種の電圧検出装置としては、例えば下記特許文献１に見られるように、フライングキャパシタ方式のものが知られている。この装置により、複数の電池モジュールが分割されることにより構成された各検出ブロックの電圧が検出される。各検出ブロックは、少なくとも１つの電池モジュールを含む。特許文献１には、フライングキャパシタが、共通の出力側スイッチを介して第１電圧検出部と第２電圧検出部とに接続される電圧検出装置が開示されている。
【先行技術文献】
【特許文献】
【０００３】
【特許文献１】特許第５９５５５０７号公報
【発明の概要】
【発明が解決しようとする課題】
【０００４】
例えば検出ブロック毎に、検出に用いられる電圧検出部が決まっていることがある。具体的には例えば、各電圧検出部が差動増幅器を用いて検出ブロックの電圧を検出しており、各電圧検出部が有する差動増幅器の増幅率に基づいて、各検出ブロックの電圧を精度良く検出できる電圧検出部が決まっていることがある。特許文献１の技術では、このような場合において、第１，第２電圧検出部の一方の電圧検出部を用いて電圧を検出するために、出力側スイッチを閉状態に切り替えると、他方の電圧検出部とフライングキャパシタとが接続される。これにより、フライングキャパシタに充電された電荷が、第１電圧検出部に放電されるとともに第２電圧検出部にも放電されると、フライングキャパシタの電圧が検出ブロックの電圧よりも低下してしまい、電圧検出の精度が悪化するおそれがある。特許文献１の技術には、電圧検出の精度の向上を図る上で、未だ改善の余地がある。
【０００５】
本発明は、電圧検出の精度を適切に向上させることができる電圧検出装置を提供することを目的とする。
【課題を解決するための手段】
【０００６】
本発明は、複数の電池モジュールの直列接続体を有する組電池に適用される電圧検出装置であって、複数の前記電池モジュールが分割されることにより複数の検出ブロックが構成され、前記各検出ブロックが少なくとも１つの前記電池モジュールを含み、キャパシタと、前記各検出ブロックを前記キャパシタに並列接続し、前記各検出ブロックと前記キャパシタとの間を開閉する入力側スイッチと、前記キャパシタに対して並列接続され、前記キャパシタの電圧に基づいて、前記各検出ブロックの電圧を検出する第１電圧検出部及び第２電圧検出部と、前記キャパシタと前記第１電圧検出部との間を開閉する第１出力側スイッチと、前記キャパシタと前記第２電圧検出部との間を開閉する第２出力側スイッチと、前記第１電圧検出部と前記第２電圧検出部とを用いて前記検出ブロックの電圧を検出する第１検出制御部と、前記第１電圧検出部と前記第２電圧検出部との一方を用いて前記検出ブロックの電圧を検出する第２検出制御部と、前記第１検出制御部による前記検出ブロックの電圧の検出と、前記第２検出制御部による前記検出ブロックの電圧の検出と、を切り替える切替部と、を備える。
【０００７】
本発明によれば、切替部により、第１電圧検出部と第２電圧検出部との一方を用いて、検出ブロックの電圧を検出するように切り替えることができる。このため、フライングキャパシタに充電された電荷が、他方の電圧検出部に放電されないようにすることができ、電圧検出の精度を適切に向上させることができる。
【図面の簡単な説明】
【０００８】
【図１】第１実施形態に係る電源システムを示す図。
【図２】第１実施形態に係る電圧検出処理の手順を示すフローチャート。
【図３】電圧検出処理の一例を示すタイムチャート。
【図４】比較例の問題点を示すタイムチャート。
【図５】第２実施形態に係る電源システムを示す図。
【図６】第２実施形態に係る電圧検出処理の手順を示すフローチャート。
【発明を実施するための形態】
【０００９】
（第１実施形態）
以下、本発明に係る電圧検出装置を具体化した第１実施形態について、図面を参照しつつ説明する。本発明に係る電圧検出装置は、例えばハイブリッド自動車又は電気自動車に搭載される電源システム１００に適用される。
【００１０】
図１に示すように、本実施形態の電源システム１００は、組電池１０と、フライングキャパシタ方式の電圧検出装置２０とを備える。
【００１１】
組電池１０は、車両の図示しない走行用の回転電機を含む車載電気負荷の電力供給源となる。組電池１０は、単電池としての電池セルの直列接続体を備えており、端子間電圧が例えば数百Ｖとなるものである。電池セルとしては、例えば、リチウムイオン電池又はニッケル水素蓄電池等の蓄電池を用いることができる。
【００１２】
本実施形態では、組電池１０を構成する電池セルのうち、少なくとも２つの電池セルの直列接続体が一体化されることにより、電池モジュールが構成される。組電池１０は、複数の電池モジュールの直列接続体を有する。本実施形態では、説明の便宜上、組電池１０が８個の電池モジュールを備えることとする。以降、本実施形態では、組電池１０を構成する電池モジュールのうち、最も高電位側の電池モジュールから順に、第１電池モジュールＢ１、第２電池モジュールＢ２、…、第８電池モジュールＢ８と称すこととする。各電池モジュールは、互いに同数の電池セルを備えており、定格電圧が互いに同一である。
【００１３】
本実施形態では、各電池モジュールＢ１〜Ｂ８が第１〜第６検出ブロックＡ１〜Ａ６に分割される。各検出ブロックＡ１〜Ａ６は、少なくとも１つの電池モジュールＢ１〜Ｂ８を含む。具体的には、第１検出ブロックＡ１は、第１電池モジュールＢ１を含む。第２検出ブロックＡ２は、第２電池モジュールＢ２を含む。第３検出ブロックＡ３は、第３，第４電池モジュールＢ３，Ｂ４の直列接続体を含む。第４検出ブロックＡ４は、第５，第６電池モジュールＢ５，Ｂ６の直列接続体を含む。第５検出ブロックＡ５は、第７電池モジュールＢ７を含む。第６検出ブロックＡ６は、第８電池モジュールＢ８を含む。
【００１４】
組電池１０には、第１〜第７電極端子Ｔ１〜Ｔ７が設けられる。電極端子Ｔ１〜Ｔ７の数は、検出ブロックＡ１〜Ａ６の数よりも１だけ多い。ｍを１〜６までの整数とする場合、第ｍ検出ブロックＡｍの正極端子には、第ｍ電極端子Ｔｍが接続される。また、第ｍ検出ブロックＡｍの負極端子には、第ｍ＋１電極端子Ｔｍ＋１が接続される。
【００１５】
電圧検出装置２０は、抵抗部２１、入力側スイッチ部２２、キャパシタ部２３、出力側スイッチ部２４、検出部２５、基準電圧供給部２６、及び制御部２７を備える。
【００１６】
抵抗部２１は、組電池１０と入力側スイッチ部２２との間に設けられる。ｎを１〜７までの整数とする場合、各電極端子Ｔｎに接続される検出ラインＬｎ上に個別に設けた複数の電流制限抵抗Ｒを備える。各電流制限抵抗Ｒは、組電池１０（高圧側）から入力側スイッチ部２２（低圧側）に、突入電流が流れることを防止するためのものであり、抵抗値が互いに同一である。
【００１７】
入力側スイッチ部２２は、抵抗部２１とキャパシタ部２３との間に設けられており、各検出ラインＬｎに個別に接続される第１〜第７スイッチＳＷ１〜ＳＷ７を備える。入力側スイッチ部２２の各スイッチＳＷｎ（以下、単に各スイッチＳＷｎという）は、電極端子Ｔｎとキャパシタ部２３との接続状態を切り替える。各スイッチＳＷｎとしては、例えば、一対のソース同士が接続されたＮチャンネルＭＯＳＦＥＴ、フォトリレー又はリレー等を用いることができる。
【００１８】
キャパシタ部２３は、キャパシタＣＡを有する。キャパシタＣＡには接続端子として第１，第２端子Ｎ１，Ｎ２が設けられている。組電池１０の各電極端子Ｔｎは、各スイッチＳＷｎを介して、これらの端子Ｎ１，Ｎ２の一方に接続される。
【００１９】
詳しくは、第１端子Ｎ１には、第１〜第７電極端子Ｔ１〜Ｔ７のうち、第２，第４，第６電極端子Ｔ２，Ｔ４，Ｔ６が接続される。第２端子Ｎ２には、第１〜第７電極端子Ｔ１〜Ｔ７のうち、第１，第３，第５，第７電極端子Ｔ１，Ｔ３，Ｔ５，Ｔ７が接続される。つまり、各スイッチＳＷ１〜ＳＷ７は、各検出ブロックＡ１〜Ａ６をキャパシタＣＡに並列接続し、各検出ブロックＡ１〜Ａ６とキャパシタＣＡとの間を開閉する。
【００２０】
出力側スイッチ部２４は、キャパシタ部２３と検出部２５との間に設けられており、キャパシタＣＡの第１，第２端子Ｎ１，Ｎ２の一方にそれぞれ接続された複数のスイッチＳＷＡ〜ＳＷＤを備える。具体的には、スイッチＳＷＡ，ＳＷＣは第１端子Ｎ１に接続され、スイッチＳＷＢ，ＳＷＤは第２端子Ｎ２に接続される。各スイッチＳＷＡ〜ＳＷＤは、キャパシタＣＡと検出部２５との接続状態を切り替える。スイッチＳＷＡ〜ＳＷＤとしては、例えば、ＮチャンネルＭＯＳＦＥＴ等の半導体スイッチを用いることができる。
【００２１】
検出部２５は、出力側スイッチ部２４と制御部２７との間に設けられており、第１電圧検出部２５Ａと第２電圧検出部２５Ｂとを有する。第１電圧検出部２５Ａと第２電圧検出部２５Ｂとは、キャパシタＣＡに対して並列接続され、キャパシタＣＡの電圧を検出する。各電圧検出部２５Ａ，２５Ｂは、キャパシタＣＡの電圧に基づいて、キャパシタＣＡの充電に用いられた各検出ブロックＡ１〜Ａ６の電圧を検出する。
【００２２】
各電圧検出部２５Ａ，２５Ｂは、出力側スイッチ部２４の各スイッチＳＷＡ〜ＳＷＤを介して、キャパシタＣＡに接続される。詳しくは、第１電圧検出部２５Ａは、スイッチＳＷＡ，ＳＷＢを介してキャパシタＣＡに接続される。つまり、スイッチＳＷＡ，ＳＷＢは、キャパシタＣＡと第１電圧検出部２５Ａとの間を開閉する。また、第２電圧検出部２５Ｂは、スイッチＳＷＣ，ＳＷＤを介してキャパシタＣＡに接続される。つまり、スイッチＳＷＣ，ＳＷＤは、キャパシタＣＡと第２電圧検出部２５Ｂとの間を開閉する。本実施形態において、スイッチＳＷＡ，ＳＷＢが「第１出力側スイッチ」に相当し、スイッチＳＷＣ，ＳＷＤが「第２出力側スイッチ」に相当する。
【００２３】
各電圧検出部２５Ａ，２５Ｂは、図示しない差動増幅器とＡＤ変換器を備えており、差動増幅器を用いてキャパシタＣＡの電圧を検出し、その検出値をＡＤ変換して制御部２７に出力する。第１電圧検出部２５Ａは、所定の第１増幅率でキャパシタＣＡの電圧を増幅する。一方、第２電圧検出部２５Ｂは、第１増幅率よりも小さい第２増幅率でキャパシタＣＡの電圧を増幅する。
【００２４】
基準電圧供給部２６は、出力側スイッチ部２４と検出部２５との間に設けられており、第１基準電圧供給部２６Ａと第２基準電圧供給部２６Ｂとを有する。第１基準電圧供給部２６Ａは、スイッチＳＷＡ，ＳＷＢと第１電圧検出部２５Ａとを接続する接続ラインＸＡ，ＸＢに接続され、これらの接続ラインＸＡ，ＸＢに、第１電圧検出部２５Ａを補正するための所定の基準電圧を供給する。第２基準電圧供給部２６Ｂは、スイッチＳＷＣ，ＳＷＤと第２電圧検出部２５Ｂとを接続する接続ラインＸＣ，ＸＤに接続され、これらの接続ラインＸＣ，ＸＤに、第２電圧検出部２５Ｂを補正するための所定の基準電圧を供給する。
【００２５】
制御部２７は、ＣＰＵ、メモリ等からなるマイクロコンピュータである。制御部２７は、各スイッチＳＷｎの開閉、各スイッチＳＷＡ〜ＳＷＤの開閉、及び各基準電圧供給部２６Ａ、２６Ｂからの基準電圧の供給状態を制御する。これにより、制御部２７は、キャパシタＣＡと検出部２５とを電気的に絶縁した状態で、組電池１０の各検出ブロックＡ１〜Ａ６を用いてキャパシタＣＡを充電する充電処理や、組電池１０とキャパシタＣＡとを電気的に絶縁した状態で、検出部２５の各電圧検出部２５Ａ，２５Ｂを用いて各検出ブロックＡ１〜Ａ６の電圧を検出する検出処理、を含む電圧検出処理を実行する。
【００２６】
続いて、図２を用いて、本実施形態に係る電圧検出処理について説明する。ここで、図２は、上記処理の手順を示すフローチャートである。この処理は、制御部２７によって、例えば所定周期で繰り返し実行される。なお、電圧検出処理の開始時において、第１〜第７スイッチＳＷ１〜ＳＷ７及びスイッチＳＷＡ〜ＳＷＤは開状態に切り替えられている。
【００２７】
この一連の処理では、まずステップＳ１０において、所定の電圧検出タイミングｔｖｄに到達したかを判定する。電圧検出タイミングｔｖｄは、各検出ブロックＡ１〜Ａ６に対して所定の電圧検出周期毎に予め設定されている。ステップＳ１０で否定判定すると、電圧検出処理を終了する。
【００２８】
ステップＳ１０で肯定判定すると、ステップＳ１１で、電圧検出の対象が第１検出ブロックＡ１であるかを判定する。ステップＳ１１で肯定判定すると、第１処理を実施する。第１処理は、第１検出ブロックＡ１を用いてキャパシタＣＡを充電する充電処理と、第１電圧検出部２５Ａと第２電圧検出部２５Ｂとを用いて第１検出ブロックＡ１の電圧を検出する検出処理と、検出部２５の異常を診断する異常診断処理と、を含む。
【００２９】
具体的には、ステップＳ１２において、充電処理を実施する。この充電処理では、対象となる第１検出ブロックＡ１の両側の第１，第２電極端子Ｔ１，Ｔ２に接続される第１，第２スイッチＳＷ１，ＳＷ２を閉状態に切り替え、第１検出ブロックＡ１を用いてキャパシタＣＡを充電する。所定の充電期間後、ステップＳ１３において、第１，第２スイッチＳＷ１，ＳＷ２を開状態に切り替える。
【００３０】
第１，第２スイッチＳＷ１，ＳＷ２を開状態に切り替えると、ステップＳ１４において、スイッチＳＷＡ〜ＳＷＤを閉状態に切り替える。これにより、キャパシタＣＡに充電された電荷が各電圧検出部２５Ａ，２５Ｂに放電され、第１電圧検出部２５Ａと第２電圧検出部２５Ｂとを用いて第１検出ブロックＡ１の電圧が検出される。各電圧検出部２５Ａ，２５Ｂは、第１検出ブロックＡ１の電圧を検出すると、その検出値を制御部２７に送信する。本実施形態において、ステップＳ１４の処理が「第１検出制御部」に相当する。
【００３１】
ステップＳ１６において、各電圧検出部２５Ａ，２５Ｂから検出値を受信すると、受信した検出値を内部のＲＡＭ等に記憶し、続くステップＳ１８において、スイッチＳＷＡ〜ＳＷＤを開状態に切り替える。
【００３２】
スイッチＳＷＡ〜ＳＷＤを開状態に切り替えると、ステップＳ２０において、異常診断処理を実施し、電圧検出処理を終了する。異常診断処理では、各電圧検出部２５Ａ，２５Ｂの増幅率の違いを考慮して、各電圧検出部２５Ａ，２５Ｂから受信された検出値が一致するかを判定する。制御部２７は、各電圧検出部２５Ａ，２５Ｂの検出値が一致する場合に、検出部２５で異常が生じていないと判定し、不一致の場合には、検出部２５で異常が生じていると判定する。
【００３３】
一方、ステップＳ１１で否定判定すると、第２処理を実施する。つまり、ステップＳ１１により、第１電圧検出部２５Ａと第２電圧検出部２５Ｂとを用いた第１検出ブロックＡ１の電圧の検出と、第１電圧検出部２５Ａと第２電圧検出部２５Ｂとの一方を用いた第２〜第６検出ブロックＡ２〜Ａ６の電圧の検出と、が切り替えられる。本実施形態において、ステップＳ１１の処理が「切替部」に相当する。
【００３４】
第２処理は、第２〜第６検出ブロックＡ２〜Ａ６を用いてキャパシタＣＡを充電する充電処理と、第１電圧検出部２５Ａと第２電圧検出部２５Ｂとの一方を用いて、第２〜第６検出ブロックＡ２〜Ａ６の電圧を検出する検出処理と、各電圧検出部２５Ａ，２５Ｂを補正する補正処理と、を含む。
【００３５】
具体的には、ステップＳ２２において、電圧検出の対象が第２，第５，第６検出ブロックＡ２，Ａ５，Ａ６であるかを判定する。ステップＳ２２で肯定判定すると、第１電圧検出部２５Ａを用いた検出処理を含む第２処理を実施する。第２，第５，第６検出ブロックＡ２，Ａ５，Ａ６は、その内部に電池モジュールＢ１〜Ｂ８を１つしか有しない。そのため、比較的増幅率の大きい第１電圧検出部２５Ａを用いることで、制御部２７が有する検出値の検出レンジをより広く使用して、これらの検出ブロックＡ２，Ａ５，Ａ６の電圧を精度良く検出することができる。以下では、電圧検出の対象が第２検出ブロックＡ２である例を説明する。
【００３６】
第２検出ブロックＡ２に対する第２処理では、まずステップＳ２４において、充電処理を実施する。なお、第２検出ブロックＡ２を用いた充電処理は、第１検出ブロックＡ１を用いた充電処理と同様であり、重複した説明を省略する。
【００３７】
所定の充電期間後、ステップＳ２５において、第２，第３スイッチＳＷ２，ＳＷ３を開状態に切り替える。これにより、補正処理が実施される補正期間Ｔｒ（図３参照）において、第１〜第７スイッチＳＷ１〜ＳＷ７が開状態とされる。
【００３８】
充電処理の終了後、ステップＳ２６において、スイッチＳＷＡ，ＳＷＢを閉状態に切り替えるとともに、スイッチＳＷＣ，ＳＷＤを開状態に維持する。スイッチＳＷＡ，ＳＷＢを閉状態に切り替えることにより、キャパシタＣＡに充電された電荷が第１電圧検出部２５Ａに放電され、第１電圧検出部２５Ａを用いて第２検出ブロックＡ２の電圧が検出される。第１電圧検出部２５Ａは、第２検出ブロックＡ２の電圧を検出すると、その検出値を制御部２７に送信する。続くステップＳ２８において、第１電圧検出部２５Ａから検出値を受信すると、受信した検出値を内部のＲＡＭ等に記憶する。
【００３９】
また、ステップＳ２６では、スイッチＳＷＣ，ＳＷＤが開状態に維持される。これにより、キャパシタＣＡと第２電圧検出部２５Ｂとが電気的に絶縁され、キャパシタＣＡから第２電圧検出部２５Ｂへの電荷の放電が抑制される。本実施形態において、ステップＳ２６の処理が「第１状態制御部」に相当する。
【００４０】
ステップＳ３０において、スイッチＳＷＡ，ＳＷＢの閉期間に、第２基準電圧供給部２６Ｂに電圧出力信号Ｓｖを送信する。なお、本実施形態では、スイッチＳＷＡ，ＳＷＢの閉期間において、スイッチＳＷＣ，ＳＷＤが開状態に維持される。そのため、スイッチＳＷＡ，ＳＷＢの閉期間が「第１出力側スイッチの開期間」に相当する。
【００４１】
第２基準電圧供給部２６Ｂは、電圧出力信号Ｓｖを受信すると、第２電圧検出部２５Ｂに基準電圧を出力する。第２電圧検出部２５Ｂは、基準電圧を検出すると、その検出値である基準検出値を制御部２７に送信する。本実施形態において、ステップＳ３０の処理が「第１補正部」に相当する。
【００４２】
ステップＳ３２において、第２電圧検出部２５Ｂから基準検出値を受信すると、受信した基準検出値を内部のＲＡＭ等に記憶し、続くステップＳ３４において、第２電圧検出部２５Ｂの補正処理を実施する。第２電圧検出部２５Ｂの補正処理では、第２電圧検出部２５Ｂから受信した基準検出値が所定の基準値と一致するような補正値を算出する。補正値は、第２電圧検出部２５Ｂから受信した検出値を補正するためのものであり、内部のＲＡＭ等に記憶されている。ＲＡＭ等に記憶されている補正値を、新たに算出された補正値に更新し、補正処理を終了する。
【００４３】
続くステップＳ３６において、スイッチＳＷＡ，ＳＷＢを開状態に切り替え、電圧検出処理を終了する。スイッチＳＷＡ，ＳＷＢの閉期間は、ステップＳ２６の処理が実施されてからステップＳ３６の処理が実施されるまでの経過期間に相当する。
【００４４】
一方、ステップＳ２２で否定判定すると、つまり、電圧検出の対処が第３，第４検出ブロックＡ３，Ａ４である場合、第２電圧検出部２５Ｂを用いた検出処理を含む第２処理を実施する。第３，第４検出ブロックＡ３，Ａ４は、その内部に電池モジュールＢ１〜Ｂ８を２つ有する。そのため、比較的増幅率の小さい第２電圧検出部２５Ｂを用いることで、検出値が制御部２７の検出レンジを超えて大きくなることが抑制され、これらの検出ブロックＡ３，Ａ４の電圧を精度良く検出することができる。以下では、電圧検出の対象が第３検出ブロックＡ３である例を説明する。
【００４５】
第３検出ブロックＡ３に対する第２処理では、まずステップＳ３８において、充電処理を実施する。なお、第３検出ブロックＡ３を用いた充電処理は、第１検出ブロックＡ１を用いた充電処理と同様であり、重複した説明を省略する。
【００４６】
所定の充電期間後、ステップＳ３９において、第３，第４スイッチＳＷ３，ＳＷ４を開状態に切り替える。本実施形態において、ステップＳ２５，Ｓ３９の処理が「第３状態制御部」に相当する。
【００４７】
充電処理の終了後、ステップＳ４０において、スイッチＳＷＣ，ＳＷＤを閉状態に切り替えるとともに、スイッチＳＷＡ，ＳＷＢを開状態に維持する。スイッチＳＷＣ，ＳＷＤを閉状態に切り替えることにより、キャパシタＣＡに充電された電荷が第２電圧検出部２５Ｂに放電され、第２電圧検出部２５Ｂを用いて第３検出ブロックＡ３の電圧が検出される。第２電圧検出部２５Ｂは、第３検出ブロックＡ３の電圧を検出すると、その検出値を制御部２７に送信する。続くステップＳ４２において、第２電圧検出部２５Ｂから検出値を受信すると、受信した検出値を内部のＲＡＭ等に記憶する。本実施形態において、ステップＳ２６，Ｓ４０の処理が「第２検出制御部」に相当する。
【００４８】
また、ステップＳ４０では、スイッチＳＷＡ，ＳＷＢが開状態に維持される。これにより、キャパシタＣＡと第１電圧検出部２５Ａとが電気的に絶縁され、キャパシタＣＡから第１電圧検出部２５Ａへの電荷の放電が抑制される。本実施形態において、ステップＳ４０の処理が「第２状態制御部」に相当する。
【００４９】
ステップＳ４４において、スイッチＳＷＣ，ＳＷＤの閉期間に、第１基準電圧供給部２６Ａに電圧出力信号Ｓｖを送信する。なお、本実施形態では、スイッチＳＷＣ，ＳＷＤの閉期間において、スイッチＳＷＡ，ＳＷＢが開状態に維持される。そのため、スイッチＳＷＣ，ＳＷＤの閉期間が「第２出力側スイッチの開期間」に相当する。
【００５０】
第１基準電圧供給部２６Ａは、電圧出力信号Ｓｖを受信すると、第１電圧検出部２５Ａに基準電圧を出力する。第１電圧検出部２５Ａは、基準電圧を検出すると、基準検出値を制御部２７に送信する。本実施形態において、ステップＳ４４の処理が「第２補正部」に相当する。
【００５１】
ステップＳ４６において、第２電圧検出部２５Ｂから基準検出値を受信すると、受信した基準検出値を内部のＲＡＭ等に記憶し、続くステップＳ４８において、第１電圧検出部２５Ａの補正処理を実施する。なお、第１電圧検出部２５Ａの補正処理は、第２電圧検出部２５Ｂの補正処理と同様であり、重複した説明を省略する。
【００５２】
続くステップＳ４８において、スイッチＳＷＣ，ＳＷＤを開状態に切り替え、電圧検出処理を終了する。なお、スイッチＳＷＣ，ＳＷＤの閉期間は、ステップＳ４０の処理が実施されてからステップＳ５０の処理が実施されるまでの経過期間に相当する。
【００５３】
続いて、図３に、電圧検出処理の一例を示す。図３には、第１〜第６検出ブロックＡ１〜Ａ６のうち、第１〜第３検出ブロックＡ１〜Ａ３の電圧を検出する場合の電圧検出処理を示す。図４には、図３と比較した比較例の電圧検出処理の一例を示す。
【００５４】
図３及び図４において、（ａ）は、制御部２７が実施する処理の推移を示し、（ｂ）は、第１〜第７スイッチＳＷ１〜ＳＷ７のうち、充電処理において切り替えの対象となるスイッチ（以下、対象スイッチという）ＳＷ＃の開閉状態の推移を示し、（ｃ）は、スイッチＳＷＡ，ＳＷＢの開閉状態の推移を示し、（ｄ）は、スイッチＳＷＣ，ＳＷＤの開閉状態の推移を示す。
【００５５】
図示される例では、図３（ａ）に示すように、タイミングｔ１において第１検出ブロックＡ１に対する第１処理が開始されると、まず、充電期間Ｔｃにおいて、第１検出ブロックＡ１を用いた充電処理を実施するために、図３（ｂ）に示すように、対象スイッチＳＷ＃が閉状態に切り替えられる。
【００５６】
次に、検出期間Ｔｄにおいて、第１電圧検出部２５Ａと第２電圧検出部２５Ｂとを用いた検出処理を実施するために、図３（ｃ）及び図３（ｄ）に示すように、スイッチＳＷＡ〜ＳＷＤが閉状態に切り替えられる。なお、充電期間Ｔｃと検出期間Ｔｄとの間には、所定の差分期間ΔＴが設けられ、この差分期間ΔＴにより、対象スイッチＳＷ＃とスイッチＳＷＡ〜ＳＷＤとが同時に閉状態となり、検出部２５に過電流が流れることが抑制される。
【００５７】
最後に、診断期間Ｔｊにおいて異常診断が実施される。なお、診断期間Ｔｊでは、対象スイッチＳＷ＃及びスイッチＳＷＡ〜ＳＷＤの全てが開状態とされる。
【００５８】
制御部２７は、異常診断処理と補正処理とを同時に実施することができず、補正処理は、診断期間Ｔｊと異なる期間に実施される。そのため、電圧検出処理には、診断期間Ｔｊとは別に、各電圧検出部２５Ａ，２５Ｂを補正する補正期間Ｔｒが必要となる。
【００５９】
第１検出ブロックＡ１に対する第１処理を終了すると、タイミングｔ２において第２検出ブロックＡ２に対する第２処理が開始される。つまり、本実施形態の電圧検出処理では、第１電圧検出部２５Ａと第２電圧検出部２５Ｂとを用いた検出処理を実施する第１処理と、第１電圧検出部２５Ａと第２電圧検出部２５Ｂとの一方を用いた第２処理と、が切り替えて実施される。
【００６０】
第２検出ブロックＡ２に対する第２処理では、図３（ｄ）に示すように、検出期間ＴｄにおいてスイッチＳＷＣ，ＳＷＤが開状態に維持される点で、第１処理と異なる。そのため、この検出期間Ｔｄを利用して、第２電圧検出部２５Ｂに対する補正処理を実施することができる。
【００６１】
第２電圧検出部２５Ｂに対する補正処理では、第２基準電圧供給部２６Ｂから第２電圧検出部２５Ｂに基準電圧が入力される。そのため、この補正処理の補正期間Ｔｒでは、キャパシタＣＡと第２電圧検出部２５Ｂとを絶縁し、キャパシタＣＡから第２電圧検出部２５Ｂに電荷が放電されないようにする必要がある。
【００６２】
比較例では、第１電圧検出部２５Ａと第２電圧検出部２５Ｂとが、共通のスイッチＳＷＡ，ＳＷＢを介してキャパシタＣＡに接続されていた。つまり、キャパシタＣＡの第１端子Ｎ１は、スイッチＳＷＡを介して第１電圧検出部２５Ａと第２電圧検出部２５Ｂとに共通に接続されており、キャパシタＣＡの第２端子Ｎ２は、スイッチＳＷＢを介して第１電圧検出部２５Ａと第２電圧検出部２５Ｂとに共通に接続されていた。
【００６３】
そのため、図４に示すように、第１電圧検出部２５Ａを用いた検出処理を実施するために、検出期間Ｔｄにおいて、スイッチＳＷＡ，ＳＷＢが閉状態に切り替えられると、スイッチＳＷＡ，ＳＷＢを介して、キャパシタＣＡと第２電圧検出部２５Ｂとが接続される。そのため、検出期間Ｔｄに、第２電圧検出部２５Ｂに対する補正処理を実施することができず、電圧検出処理に必要な期間として、各電圧検出部２５Ａ，２５Ｂに補正処理を実施する専用期間Ｔｚを設ける必要があった。
【００６４】
本実施形態では、第１電圧検出部２５Ａと第２電圧検出部２５Ｂとが、異なるスイッチＳＷＡ〜ＳＷＤを介してキャパシタＣＡに接続される。そのため、第１電圧検出部２５Ａを用いた検出処理中に、第２電圧検出部２５Ｂに対する補正処理を実施することができる。つまり、第１電圧検出部２５Ａを用いた検出処理の検出期間Ｔｄと、第２電圧検出部２５Ｂに対する補正処理の補正期間Ｔｒと、を重ねることができる。これにより、比較例のように専用期間Ｔｚを設ける必要がなく、電圧検出処理に必要な期間が短縮される。
【００６５】
第２検出ブロックＡ２に対する第２処理を終了すると、タイミングｔ３において第３検出ブロックＡ３に対する第２処理が開始される。第３検出ブロックＡ３に対する第２処理では、図３（ｄ）に示すように、検出期間ＴｄにおいてスイッチＳＷＡ，ＳＷＢが開状態に維持される点で、第１処理と異なる。そのため、この検出期間Ｔｄを利用して、第１電圧検出部２５Ａに対する補正処理を実施することができる。つまり、第２電圧検出部２５Ｂを用いた検出処理の検出期間Ｔｄと、第１電圧検出部２５Ａに対する補正処理の補正期間Ｔｒと、を重ねることができる。これにより、比較例のように専用期間Ｔｚを設ける必要がなく、電圧検出処理に必要な期間が短縮される。
【００６６】
以上詳述した本実施形態によれば、以下の効果が得られるようになる。
【００６７】
本実施形態では、第１処理において、第１電圧検出部２５Ａと第２電圧検出部２５Ｂとを用いて第１検出ブロックＡ１の電圧が検出される。このため、各電圧検出部２５Ａ，２５Ｂが検出した検出値が一致するかを判定することで、検出部２５の異常を診断することができる。
【００６８】
本実施形態では、第２処理において、第１電圧検出部２５Ａと第２電圧検出部２５Ｂとの一方を用いて、第２〜第６検出ブロックＡ２〜Ａ６の電圧が検出される。このため、キャパシタＣＡに充電された電荷が、他方の電圧検出部に放電されないようにすることができ、電圧検出の精度を適切に向上させることができる。
【００６９】
つまり、本実施形態では、第２処理において、第１，第２電圧検出部２５Ａ，２５Ｂの一方の検出期間Ｔｄに、他方の電圧検出部とキャパシタＣＡとを接続するスイッチＳＷＡ〜ＳＷＤが開状態となる。
【００７０】
キャパシタＣＡに第１電圧検出部２５Ａや第２電圧検出部２５Ｂが接続されると、キャパシタＣＡから第１電圧検出部２５Ａや第２電圧検出部２５Ｂに電荷が放電されることにより、キャパシタＣＡの電圧が降下する。キャパシタＣＡの電圧降下量は、キャパシタＣＡに接続される電圧検出部２５Ａ，２５Ｂの数が多いほど大きい。したがって、キャパシタＣＡに第１電圧検出部２５Ａと第２電圧検出部２５Ｂとが接続されると、キャパシタＣＡに第１電圧検出部２５Ａのみが接続される場合に比べて、キャパシタＣＡの電圧降下量が大きくなる。これにより、キャパシタＣＡの電圧と各検出ブロックＡ２〜Ａ６の電圧との間に誤差が生じると、各検出ブロックＡ２〜Ａ６の電圧検出の精度が低下する。
【００７１】
本実施形態では、第２処理において、第１電圧検出部２５Ａと第２電圧検出部２５Ｂとの一方の検出期間Ｔｄに、他方の電圧検出部とキャパシタＣＡとを接続するスイッチが開状態とされる。これにより、キャパシタＣＡから他方の電圧検出部に電荷が放電されることが抑制され、各検出ブロックＡ２〜Ａ６の電圧検出の精度を適切に向上させることができる。
【００７２】
特に、本実施形態では、第１電圧検出部２５Ａと第２電圧検出部２５Ｂとの一方の検出期間Ｔｄに、他方の電圧検出部とキャパシタＣＡとを接続するスイッチが開状態であることを利用して、他方の電圧検出部の補正処理が実施される。そのため、検出処理と補正処理とを同時に実施することができない比較例に比べて、電圧検出処理に必要な期間が長期化することを適切に抑制することができる。
【００７３】
本実施形態では、第２処理において、他方の電圧検出部の補正期間Ｔｒに、第１〜第７スイッチＳＷ１〜ＳＷ７が開状態とされる。
【００７４】
スイッチＳＷＡ〜ＳＷＤが、ＮチャンネルＭＯＳＦＥＴ等の半導体スイッチである場合、スイッチＳＷＡ〜ＳＷＤにおけるキャパシタＣＡ側の端子と、電圧検出部２５Ａ，２５Ｂ側の端子との間に寄生容量が存在する。そのため、スイッチＳＷＡ〜ＳＷＤが開状態とされていても、この寄生容量により、他方の電圧検出部とキャパシタＣＡとの間を完全に絶縁することができない。したがって、他方の電圧検出部の補正期間Ｔｒに、第１〜第７スイッチＳＷ１〜ＳＷ７が閉状態であると、第１〜第７スイッチＳＷ１〜ＳＷ７と、スイッチＳＷＡ〜ＳＷＤの寄生容量と、を介して、組電池１０の電圧が他方の電圧検出部に入力されてしまい、他方の電圧検出部を精度良く補正することができない。
【００７５】
本実施形態では、他方の電圧検出部の補正期間Ｔｒに、第１〜第７スイッチＳＷ１〜ＳＷ７が開状態とされる。そのため、組電池１０の電圧が他方の電圧検出部に入力されることを抑制することができ、他方の電圧検出部を精度良く補正することができる。
【００７６】
（第２実施形態）
以下、第２実施形態について、先の第１の実施形態との相違点を中心に図５及び図６を参照しつつ説明する。図５において、先の図１に示した部材と同一の部材については、便宜上、同一の符号を付して説明を省略する。また、図６において、先の図２に示した処理と同一の処理については、便宜上、同一の符号を付して説明を省略する。
【００７７】
本実施形態では、図５に示すように、キャパシタ部２３が、直列接続された第１キャパシタＣＡ１と第２キャパシタＣＡ２とを有している。キャパシタＣＡ１，ＣＡ２の直列接続体の端部には接続端子として第１，第３端子Ｎ１，Ｎ３が設けられている。また、キャパシタＣＡ１，ＣＡ２の間には接続端子として第２端子Ｎ２が設けられている。組電池１０の各電極端子Ｔｎは、各スイッチＳＷｎを介して、これらの端子Ｎ１〜Ｎ３の１つに接続される。本実施形態において、キャパシタＣＡ１，ＣＡ２の直列接続体が「キャパシタ」に相当する。
【００７８】
詳しくは、第１端子Ｎ１には、第１〜第７電極端子Ｔ１〜Ｔ７のうち、第３，第５電極端子Ｔ３，Ｔ５が接続される。第２端子Ｎ２には、第１〜第７電極端子Ｔ１〜Ｔ７のうち、第２，第６電極端子Ｔ２，Ｔ６が接続される。第３端子Ｎ３には、第１〜第７電極端子Ｔ１〜Ｔ７のうち、第１，第４，第７電極端子Ｔ１，Ｔ４，Ｔ７が接続される。
【００７９】
本実施形態では、各電池モジュールＢ１〜Ｂ８が第１１〜第１４検出ブロックＡ１１〜Ａ１４に分割される。各検出ブロックＡ１〜Ａ６は、２つの電池モジュールＢ１〜Ｂ８を含む。具体的には、第１１検出ブロックＡ１１は、第１，第２電池モジュールＢ１，Ｂ２の直列接続体を含む。第１２検出ブロックＡ１２は、第３，第４電池モジュールＢ３，Ｂ４の直列接続体を含む。第１３検出ブロックＡ１３は、第５，第６電池モジュールＢ５，Ｂ６の直列接続体を含む。第１４検出ブロックＡ１４は、第７，第８電池モジュールＢ７，Ｂ８の直列接続体を含む。
【００８０】
そのため、各検出ブロックＡ１１〜Ａ１４は、第１，第３〜第５，第７スイッチＳＷ１，ＳＷ３〜ＳＷ５，ＳＷ７を介して、キャパシタＣＡ１，ＣＡ２の直列接続体に並列接続される。そして、第１，第３〜第５，第７スイッチＳＷ１，ＳＷ３〜ＳＷ５，ＳＷ７は、各検出ブロックＡ１１〜Ａ１４とキャパシタＣＡ１，ＣＡ２の直列接続体との間を開閉する。本実施形態において、第１，第３〜第５，第７スイッチＳＷ１，ＳＷ３〜ＳＷ５，ＳＷ７が「入力側スイッチ」に相当する。
【００８１】
出力側スイッチ部２４は、キャパシタＣＡ１，ＣＡ２の直列接続体の第１〜第３端子Ｎ１〜Ｎ３の１つにそれぞれ接続された複数のスイッチＳＷＡ〜ＳＷＥを備える。具体的には、スイッチＳＷＡ，ＳＷＤは第１端子Ｎ１に接続され、スイッチＳＷＢは第２端子Ｎ２に接続され、スイッチＳＷＣ，ＳＷＥは第３端子Ｎ３に接続される。
【００８２】
また、本実施形態では、検出部２５が、第３電圧検出部２５Ｃ、第４電圧検出部２５Ｄ、及び第５電圧検出部２５Ｅを有する。第３電圧検出部２５Ｃは、第１キャパシタＣＡ１に接続され、第１キャパシタＣＡ１の電圧を検出する。第４電圧検出部２５Ｄは、第２キャパシタＣＡ２に接続され、第２キャパシタＣＡ２の電圧を検出する。そのため、第３電圧検出部２５Ｃと第４電圧検出部２５Ｄとを併合した併合電圧検出部２５Ｆは、キャパシタＣＡ１，ＣＡ２の直列接続体に接続され、キャパシタＣＡ１，ＣＡ２の直列接続体の電圧を検出する。
【００８３】
また、第５電圧検出部２５Ｅは、キャパシタＣＡ１，ＣＡ２の直列接続体に接続され、キャパシタＣＡ１，ＣＡ２の電圧を検出する。そのため、第５電圧検出部２５Ｅと併合電圧検出部２５Ｆとは、キャパシタＣＡ１，ＣＡ２の直列接続体に対して並列接続され、キャパシタＣＡ１，ＣＡ２の直列接続体の電圧を検出する。本実施形態において、第５電圧検出部２５Ｅ及び併合電圧検出部２５Ｆが「第１電圧検出部及び第２電圧検出部」に相当する。
【００８４】
各電圧検出部２５Ｃ〜２５Ｅは、出力側スイッチ部２４の各スイッチＳＷＡ〜ＳＷＥを介して、第１，第２キャパシタＣＡ１，ＣＡ２に接続される。詳しくは、第３電圧検出部２５Ｃは、スイッチＳＷＡ，ＳＷＢを介して第１キャパシタＣＡ１に接続され、第４電圧検出部２５Ｄは、スイッチＳＷＢ，ＳＷＣを介して第２キャパシタＣＡ２に接続される。そのため、併合電圧検出部２５Ｆは、スイッチＳＷＡ，ＳＷＣを介してキャパシタＣＡ１，ＣＡ２の直列接続体に接続される。また、第５電圧検出部２５Ｅは、スイッチＳＷＤ，ＳＷＥを介してキャパシタＣＡ１，ＣＡ２の直列接続体に接続される。つまり、スイッチＳＷＡ，ＳＷＣは、キャパシタＣＡ１，ＣＡ２の直列接続体と併合電圧検出部２５Ｆとの間を開閉し、スイッチＳＷＤ，ＳＷＥは、キャパシタＣＡ１，ＣＡ２の直列接続体と第５電圧検出部２５Ｅとの間を開閉する。本実施形態において、スイッチＳＷＡ，ＳＷＣが「第１出力側スイッチ」に相当し、スイッチＳＷＤ，ＳＷＥが「第２出力側スイッチ」に相当する。
【００８５】
基準電圧供給部２６は、第３基準電圧供給部２６Ｃと第４基準電圧供給部２６Ｄとを有する。第３基準電圧供給部２６Ｃは、スイッチＳＷＡと第３電圧検出部２５Ｃとを接続する接続ラインＸＥ、スイッチＳＷＢと第３，第４電圧検出部２５Ｃ，２５Ｄとを接続する接続ラインＸＦ、及びスイッチＳＷＣと第４電圧検出部２５Ｄとを接続する接続ラインＸＧに接続され、これらの接続ラインＸＥ〜ＸＧに、第３，第４電圧検出部２５Ｃ，２５Ｄを補正するための所定の基準電圧を供給する。第４基準電圧供給部２６Ｄは、スイッチＳＷＤ，ＳＷＥと第５電圧検出部２５Ｅとを接続する接続ラインＸＨ，ＸＩに接続され、これらの接続ラインＸＨ，ＸＩに、第５電圧検出部２５Ｅを補正するための所定の基準電圧を供給する。
【００８６】
制御部２７は、各スイッチＳＷｎの開閉、各スイッチＳＷＡ〜ＳＷＥの開閉、及び各基準電圧供給部２６Ｃ、２６Ｄからの基準電圧の供給状態を制御し、電圧検出処理を実行する。
【００８７】
図６に示すように、本実施形態に係る電圧検出処理では、所定の電圧検出タイミングｔｖｄに到達すると、ステップＳ１０で肯定判定し、ステップＳ６０で、電圧検出の対象が第１１検出ブロックＡ１１であるかを判定する。ステップＳ６０で肯定判定すると、第１処理を実施する。本実施形態において、ステップＳ６０の処理が「切替部」に相当する。
【００８８】
具体的には、ステップＳ１２において、充電処理を実施する。この充電処理では、対象となる第１１検出ブロックＡ１１の両側の第１，第２電極端子Ｔ１，Ｔ２、及び第１１検出ブロックＡ１１を構成する第１，第２電池モジュールＢ１，Ｂ２の間の第３電極端子Ｔ３、に接続される第１〜第３スイッチＳＷ１〜ＳＷ３を閉状態に切り替える。これにより、第１電池モジュールＢ１を用いて第１キャパシタＣＡ１を充電し、第２電池モジュールＢ２を用いて第２キャパシタＣＡ２を充電する。つまり、第１１検出ブロックＡ１１を用いてキャパシタＣＡ１，ＣＡ２の直列接続体を充電する。所定の充電期間後、ステップＳ１３において、第１〜第３スイッチＳＷ１〜ＳＷ３を開状態に切り替える。
【００８９】
第１〜第３スイッチＳＷ１〜ＳＷ３を開状態に切り替えると、ステップＳ６２において、スイッチＳＷＡ〜ＳＷＥを閉状態に切り替える。これにより、第１キャパシタＣＡ１に充電された電荷が第３電圧検出部２５Ｃに放電され、第３電圧検出部２５Ｃを用いて第１電池モジュールＢ１の電圧が検出される。また、第２キャパシタＣＡ２に充電された電荷が第４電圧検出部２５Ｄに放電され、第４電圧検出部２５Ｄを用いて第２電池モジュールＢ２の電圧が検出される。つまり、第１，第２キャパシタＣＡ１，ＣＡ２に充電された電荷が併合電圧検出部２５Ｆに放電され、併合電圧検出部２５Ｆを用いて第１１検出ブロックＡ１１の電圧が検出される。また、第１，第２キャパシタＣＡ１，ＣＡ２に充電された電荷が第５電圧検出部２５Ｅに放電され、第５電圧検出部２５Ｅを用いて第１１検出ブロックＡ１１の電圧が検出される。本実施形態において、ステップＳ６２の処理が「第１検出制御部」に相当する。
【００９０】
続くステップＳ１６において、各電圧検出部２５Ｃ〜２５Ｅから検出値を受信すると、受信した検出値を内部のＲＡＭ等に記憶し、ステップＳ６４において、スイッチＳＷＡ〜ＳＷＥを開状態に切り替える。
【００９１】
スイッチＳＷＡ〜ＳＷＥを開状態に切り替えると、ステップＳ２０において、異常診断処理を実施し、電圧検出処理を終了する。異常診断処理では、各電圧検出部２５Ｃ〜２５Ｅの増幅率の違いを考慮して、第３，第４電圧検出部２５Ｃ，２５Ｄから受信された検出値の合計値が、第５電圧検出部２５Ｅから受信された検出値と一致するかを判定する。つまり、併合電圧検出部２５Ｆから受信された検出値が、第５電圧検出部２５Ｅから受信された検出値と一致するかを判定する。制御部２７は、各電圧検出部２５Ｅ，２５Ｆの検出値が一致する場合に、検出部２５で異常が生じていないと判定し、不一致の場合には、検出部２５で異常が生じていると判定する。
【００９２】
一方、ステップＳ６０で否定判定すると、第２処理を実施する。具体的には、ステップＳ６６において、電圧検出の対象が第１４検出ブロックＡ１４であるかを判定する。ステップＳ６６で肯定判定すると、併合電圧検出部２５Ｆを用いた検出処理を含む第２処理を実施する。第１４検出ブロックＡ１４は、第１４検出ブロックＡ１４を構成する第７，第８電池モジュールＢ７，Ｂ８の間の第６電極端子Ｔ６が、キャパシタＣＡ１，ＣＡ２の直列接続体の第２端子Ｎ２に接続されている。そのため、併合電圧検出部２５Ｆを用いることで、第１４検出ブロックＡ１４を構成する各電池モジュールＢ７，Ｂ８の電圧を用いて、第１４検出ブロックＡ１４の電圧を精度良く検出することができる。
【００９３】
第１４検出ブロックＡ１４に対する第２処理では、まずステップＳ２４において、充電処理を実施する。この充電処理では、対象となる第１４検出ブロックＡ１４の両側の第５，第７電極端子Ｔ５，Ｔ７、及び第１４検出ブロックＡ１４を構成する第７，第８電池モジュールＢ７，Ｂ８の間の第６電極端子Ｔ６、に接続される第５〜第７スイッチＳＷ５〜ＳＷ７を閉状態に切り替える。所定の充電期間後、ステップＳ２５において、第５〜第７スイッチＳＷ５〜ＳＷ７を開状態に切り替える。
【００９４】
第５〜第７スイッチＳＷ５〜ＳＷ７を開状態に切り替えると、ステップＳ６８において、スイッチＳＷＡ〜ＳＷＣを閉状態に切り替えるとともに、スイッチＳＷＤ，ＳＷＥを開状態に維持する。スイッチＳＷＡ〜ＳＷＣを閉状態に切り替えることにより、第１、第２キャパシタＣＡ１，ＣＡ２に充電された電荷が併合電圧検出部２５Ｆに放電され、併合電圧検出部２５Ｆを用いて第１４検出ブロックＡ１４の電圧が検出される。
【００９５】
また、ステップＳ６８では、スイッチＳＷＤ，ＳＷＥが開状態に維持される。これにより、キャパシタＣＡと第５電圧検出部２５Ｅとが電気的に絶縁され、キャパシタＣＡから第５電圧検出部２５Ｅへの電荷の放電が抑制される。
【００９６】
ステップＳ３０において、スイッチＳＷＡ〜ＳＷＣの閉期間に、第４基準電圧供給部２６Ｄに電圧出力信号Ｓｖを送信する。第４基準電圧供給部２６Ｄは、電圧出力信号Ｓｖを受信すると、第５電圧検出部２５Ｅに基準電圧を出力する。続くステップＳ３２において、第５電圧検出部２５Ｅから基準検出値を受信すると、受信した基準検出値を内部のＲＡＭ等に記憶し、ステップＳ３４において、第５電圧検出部２５Ｅの補正処理を実施する。つまり、併合電圧検出部２５Ｆを用いた検出処理中に、第５電圧検出部２５Ｅに対する補正処理を実施する。
【００９７】
続くステップＳ７０において、スイッチＳＷＡ〜ＳＷＣを開状態に切り替え、電圧検出処理を終了する。
【００９８】
一方、ステップＳ６６で否定判定すると、つまり、電圧検出の対処が第１２，第１３検出ブロックＡ１２，Ａ１３である場合、第５電圧検出部２５Ｅを用いた検出処理を含む第２処理を実施する。第１２，第１３検出ブロックＡ１２，Ａ１３は、キャパシタＣＡ１，ＣＡ２の直列接続体の第２端子Ｎ２に接続されていない。そのため、第５電圧検出部２５Ｅを用いることで、ノイズ等により電圧が変動するおそれがある第２端子Ｎ２を用いずに、第１２，第１３検出ブロックＡ１２，Ａ１３の電圧を精度良く検出することができる。以下では、電圧検出の対象が第１２検出ブロックＡ１２である例を説明する。
【００９９】
第１２検出ブロックＡ１２に対する第２処理では、まずステップＳ３８において、充電処理を実施する。この充電処理では、対象となる第１２検出ブロックＡ１２の両側の第３，第４電極端子Ｔ３，Ｔ４に接続される第３，第４スイッチＳＷ３，ＳＷ４を閉状態に切り替える。所定の充電期間後、ステップＳ３９において、第３，第４スイッチＳＷ３，ＳＷ４を開状態に切り替える。
【０１００】
第３，第４スイッチＳＷ３，ＳＷ４を開状態に切り替えると、ステップＳ７２において、スイッチＳＷＤ，ＳＷＥを閉状態に切り替えるとともに、スイッチＳＷＡ〜ＳＷＣを開状態に維持する。スイッチＳＷＤ，ＳＷＥを閉状態に切り替えることにより、第１，第２キャパシタＣＡ１，ＣＡ２に充電された電荷が第５電圧検出部２５Ｅに放電され、第５電圧検出部２５Ｅを用いて第１２検出ブロックＡ１２の電圧が検出される。本実施形態において、ステップＳ６８，Ｓ７２の処理が「第２検出制御部」に相当する。
【０１０１】
また、ステップＳ７２では、スイッチＳＷＡ〜ＳＷＣが開状態に維持される。これにより、キャパシタＣＡと併合電圧検出部２５Ｆとが電気的に絶縁され、キャパシタＣＡから併合電圧検出部２５Ｆへの電荷の放電が抑制される。
【０１０２】
ステップＳ４４において、このスイッチＳＷＡ〜ＳＷＣの開期間に、第３基準電圧供給部２６Ｃに電圧出力信号Ｓｖを送信する。第３基準電圧供給部２６Ｃは、電圧出力信号Ｓｖを受信すると、第３，第４電圧検出部２５Ｃ，２５Ｄに基準電圧を出力する。続くステップＳ４６において、第３，第４電圧検出部２５Ｃ，２５Ｄから基準検出値を受信すると、受信した基準検出値を内部のＲＡＭ等に記憶し、ステップＳ４８において、第３，第４電圧検出部２５Ｃ，２５Ｄの補正処理を実施する。つまり、第５電圧検出部２５Ｅを用いた検出処理中に、第３，第４電圧検出部２５Ｃ，２５Ｄに対する補正処理を実施する。
【０１０３】
続くステップＳ７４において、スイッチＳＷＤ，ＳＷＥを開状態に切り替え、電圧検出処理を終了する。
【０１０４】
以上説明した本実施形態によれば、キャパシタＣＡ１，ＣＡ２の直列接続体を有する電圧検出装置２０において、第５電圧検出部２５Ｅと併合電圧検出部２５Ｆとの一方を用いて、第１２〜第１４検出ブロックＡ１２〜Ａ１４の電圧が検出される。このため、第１，第２キャパシタＣＡ１，ＣＡ２に充電された電荷が、他方の電圧検出部に放電されないようにすることができ、電圧検出の精度を適切に向上させることができる。
【０１０５】
（その他の実施形態）
本発明は上記実施形態の記載内容に限定されず、次のように実施されてもよい。
【０１０６】
上記各実施形態では、組電池１０が８個の電池モジュールを備える例を示したが、これに限られず、２個以上８個未満の電池モジュールを備えていてもよければ、９個以上の電池モジュールを備えていてもよい。
【０１０７】
上記各実施形態では、複数の電池モジュールを含む検出ブロックが存在する例を示したが、検出ブロックは必ずしも複数の電池モジュールを含む必要がない。例えば、全ての検出ブロックが、１つの電池モジュールのみを含んでいてもよい。
【０１０８】
上記各実施形態では、検出ラインＬｎ上に電流制限抵抗Ｒが設けられる例を示したが、電流制限抵抗Ｒは必ずしも設けられる必要はない。また、接続ラインＸＡ〜ＸＩに、電流制限抵抗Ｒが設けられてもよい。
【０１０９】
上記各実施形態では、電流検出部の外部に基準電圧供給部が設けられる例を示したが、基準電圧供給部は、電流検出部の内部に形成されてもよい。
【０１１０】
上記第１実施形態では、第１電圧検出部２５Ａと第２電圧検出部２５Ｂとの増幅率が異なる例を示したが、これらの電圧検出部２５Ａ，２５Ｂの増幅率は同じでもよい。電圧検出部では、その特性や検出方法により電圧検出の精度が変化することがある。そのため、電圧検出部の特性や検出方法により、検出に用いられる電圧検出部が決まっていてもよい。
【符号の説明】
【０１１１】
１０…組電池、２０…電圧検出装置、２５Ａ…第１電圧検出部、２５Ｂ…第２電圧検出部、Ａ１〜Ａ６、Ａ１１〜Ａ１４…検出ブロック、Ｂ１〜Ｂ８…電池モジュール、ＣＡ…キャパシタ、ＳＷＡ〜ＳＷＥ…スイッチ、ＳＷ１〜ＳＷ７…スイッチ。
【図１】
2019138870.tif 000003
【図２】
2019138870.tif 000004
【図３】
2019138870.tif 000005
【図４】
2019138870.tif 000006
【図５】
2019138870.tif 000007
【図６】
2019138870.tif 000008